【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
被検眼を観察するための観察光学系と，被検眼を撮影するための撮影光学系と、を収納する装置本体と、
被検眼に対し装置本体を移動させる駆動手段と、
を備える眼科撮影装置であって、
タッチパネルを有し、所定のグラフィックからなる操作ボタンを表示すると共に、前記観察光学系及び前記撮影光学系によって取得された前記被検眼の画像を表示する表示モニタの前記タッチパネル上に表示する撮影画像を、前記駆動手段を駆動させるために検者によって操作される操作部材からの操作信号に基づいて制御する表示制御手段と、を備えることを特徴とする眼科撮影装置。
【請求項２】
請求項１の眼科撮影装置において、
前記操作部材は、撮影開始のトリガ信号を発するためのスイッチと、前記装置本体を駆動するために検者によって回転操作される回転操作部と、を有する操作部材であって、
前記表示制御手段は、該撮影画像をタッチパネル上に表示した状態において、前記スイッチからの操作信号に応じて、前記回転操作部からの操作信号に基づく前記タッチパネル上の表示制御を変更することを特徴とする眼科撮影装置。
【請求項３】
請求項２の眼科撮影装置において、前記撮影光学系によって撮影された撮影画像を記憶する記憶手段に前記被検眼の撮影画像が複数記憶されている場合、前記回転操作部からの操作信号に基づいて前記タッチパネル上に表示する撮影画像を変更し、前記タッチパネルから操作信号に基づいて、少なくとも撮影画像の要否が設定されることを特徴とする眼科撮影装置。
【請求項４】
請求項２又は３の眼科撮影装置において、前記スイッチからの操作信号に基づいて前記タッチパネル上に表示された撮影画像を外部出力するか否かを選択する画像処理手段を備え、
前記表示制御手段は、前記撮影光学系による撮影直後、該撮影画像をタッチパネル上に表示すると共に、前記回転操作部からの操作信号に基づいて該撮影画像の要否を選択するためのグラフィック表示を制御し、前記スイッチからの操作信号が入力され、前記記憶手段に前記被検眼の撮影画像が複数記憶されている場合、前記回転操作部からの操作信号に基づいて前記タッチパネル上に表示する撮影画像を変更することを特徴とする眼科撮影装置。
【請求項５】
請求項２〜４のいずれかの眼科撮影装置において、前記表示制御手段は、前記記憶手段に前記被検眼の撮影画像が複数記憶されている場合、複数の撮影画像を前記タッチパネル上に同時に表示すると共に、前記回転操作部からの操作信号に基づいて前記タッチパネル上に表示する前記複数の撮影画像を変更することを特徴とする眼科撮影装置。
【請求項６】
請求項１〜５のいずれかの眼科撮影装置において、
被検者眼に対する撮影部のアライメントずれを検出するための受光素子を有するアライメント検出光学系と、
前記受光素子の受光結果に基づいて前記被検者眼に対する前記撮影部のアライメントずれを検出し、該検出結果に基づいて前記撮影部を駆動させて自動アライメントを行う移動制御部であって、ステレオ撮影のための所定の視差量に対応する左右一対のオフセットを加えて前記アライメントずれを検出し、該検出結果に基づき被検眼に対する自動アライメントを作動させて右画像用と左画像の撮影位置に前記撮影部を順次移動させる移動制御部と、を備え、
前記表示制御手段は、記憶手段に記憶された左右一対の撮影画像をタッチパネル上に左右に並べて表示してステレオ観察可能とし、
前記移動制御部は、左右一対の撮影画像のいずれかに再撮影を行う指令信号が出力されたとき、指令信号が出力された画像に対応する撮影位置に前記撮影部を移動させることを特徴とする眼科撮影装置。
【請求項７】
請求項１〜６のいずれかの眼科撮影装置において、
固視標の呈示位置の変更が可能な固視標呈示光学系を備え、
前記固視標呈示光学系による固視標の呈示位置を制御する固視位置制御部を有し、
前記表示制御手段は、記憶手段に記憶された固視位置の異なる撮影画像をタッチパネル上でパノラマ画像として表示し、
前記固視位置制御部は、前記パノラマ画像を構成する撮影画像のいずれかに再撮影を行う指令信号が出力されたとき、指令信号が出力された画像に対応する固視位置に設定することを特徴とする眼科撮影装置。
【手続補正２】
【補正対象書類名】明細書
【補正対象項目名】０００８
【補正方法】変更
【補正の内容】
【０００８】
（１）  被検眼を観察するための観察光学系と，被検眼を撮影するための撮影光学系と、を収納する装置本体と、被検眼に対し装置本体を移動させる駆動手段と、を備える眼科撮影装置であって、タッチパネルを有し、所定のグラフィックからなる操作ボタンを表示すると共に、前記観察光学系及び前記撮影光学系によって取得された前記被検眼の画像を表示する表示モニタの前記タッチパネル上に表示する撮影画像を、前記駆動手段を駆動させるために検者によって操作される操作部材からの操作信号に基づいて制御する表示制御手段と、を備えることを特徴とする。
（２）  （１）の眼科撮影装置において、前記操作部材は、撮影開始のトリガ信号を発するためのスイッチと、前記装置本体を駆動するために検者によって回転操作される回転操作部と、を有する操作部材であって、前記表示制御手段は、該撮影画像をタッチパネル上に表示した状態において、前記スイッチからの操作信号に応じて、前記回転操作部からの操作信号に基づく前記タッチパネル上の表示制御を変更することを特徴とする。
（３）  （２）の眼科撮影装置において、前記撮影光学系によって撮影された撮影画像を記憶する記憶手段に前記被検眼の撮影画像が複数記憶されている場合、前記回転操作部からの操作信号に基づいて前記タッチパネル上に表示する撮影画像を変更し、前記タッチパネルから操作信号に基づいて、少なくとも撮影画像の要否が設定されることを特徴とする。
（４）  （２）又は（３）の眼科撮影装置において、前記スイッチからの操作信号に基づいて前記タッチパネル上に表示された撮影画像を外部出力するか否かを選択する画像処理手段を備え、前記表示制御手段は、前記撮影光学系による撮影直後、該撮影画像をタッチパネル上に表示すると共に、前記回転操作部からの操作信号に基づいて該撮影画像の要否を選択するためのグラフィック表示を制御し、前記スイッチからの操作信号が入力され、前記記憶手段に前記被検眼の撮影画像が複数記憶されている場合、前記回転操作部からの操作信号に基づいて前記タッチパネル上に表示する撮影画像を変更することを特徴とする。
（５）  （２）〜（４）のいずれかの眼科撮影装置において、前記表示制御手段は、前記記憶手段に前記被検眼の撮影画像が複数記憶されている場合、複数の撮影画像を前記タッチパネル上に同時に表示すると共に、前記回転操作部からの操作信号に基づいて前記タッチパネル上に表示する前記複数の撮影画像を変更することを特徴とする眼科撮影装置。
（６）  （１）〜（５）のいずれかの眼科撮影装置において、被検者眼に対する撮影部のアライメントずれを検出するための受光素子を有するアライメント検出光学系と、前記受光素子の受光結果に基づいて前記被検者眼に対する前記撮影部のアライメントずれを検出し、該検出結果に基づいて前記撮影部を駆動させて自動アライメントを行う移動制御部であって、ステレオ撮影のための所定の視差量に対応する左右一対のオフセットを加えて前記アライメントずれを検出し、該検出結果に基づき被検眼に対する自動アライメントを作動させて右画像用と左画像の撮影位置に前記撮影部を順次移動させる移動制御部と、を備え、前記表示制御手段は、記憶手段に記憶された左右一対の撮影画像をタッチパネル上に左右に並べて表示してステレオ観察可能とし、前記移動制御部は、左右一対の撮影画像のいずれかに再撮影を行う指令信号が出力されたとき、指令信号が出力された画像に対応する撮影位置に前記撮影部を移動させることを特徴とする。
（７）  （１）〜（６）のいずれかの眼科撮影装置において、固視標の呈示位置の変更が可能な固視標呈示光学系を備え、前記固視標呈示光学系による固視標の呈示位置を制御する固視位置制御部を有し、前記表示制御手段は、記憶手段に記憶された固視位置の異なる撮影画像をタッチパネル上でパノラマ画像として表示し、前記固視位置制御部は、前記パノラマ画像を構成する撮影画像のいずれかに再撮影を行う指令信号が出力されたとき、指令信号が出力された画像に対応する固視位置に設定することを特徴とする。